(57)【特許請求の範囲】
【請求項１】
カウンターケースが固定されたリール本体と、前記リール本体に回転自在に装着されたスプールと、前記スプールの回転を検出するスプールセンサと、を有する釣り用リールに設けられた水深表示用の表示手段を含む動作手段と前記動作手段を制御するための制御手段とに電力を供給するための釣り用リールの電源装置であって、
前記リール本体内に配置され、前記制御手段及び動作手段に電力を供給するための第１電源と、
前記第１電源からの電力を供給・遮断操作するためにオン状態とオフ状態とに状態が変化する電源操作スイッチと、
前記第１電源と前記制御手段及び前記動作手段との間に配置され、前記第１電源と前記制御手段及び動作手段とを電気的に接続・切断する電源断続手段と、
前記電源操作スイッチの状態を監視して前記電源操作スイッチの状態に応じて前記電源断続手段を接続状態と切断状態とに制御する電源制御手段と
前記カウンターケース内に配置され、前記電源制御手段及び前記スプールセンサに電力を供給する第２電源と、を備え、
前記電源制御手段は、
前記電源操作スイッチがオン状態でかつ前記電源断続手段が接続状態のとき、前記釣り用リールが所定時間以上動作しないと前記電源断続手段を切断状態にし、
前記電源操作スイッチがオン状態でかつ前記電源断続手段が切断状態のとき、前記釣り用リールの前記スプールが回転すると前記電源断続手段を接続状態にする、釣り用リールの電源装置。
【請求項２】
前記第２電源は光により発電可能な太陽電池である、請求項１に記載の釣り用リールの電源装置。
【請求項３】
前記第１電源は、充電不能な一次電池である、請求項１又は２に記載の釣り用リールの電源装置。
【請求項４】
前記第１電源は、充電可能な二次電池である、請求項１又は２に記載の釣り用リールの電源装置。
【請求項５】
前記第２電源は、前記第１電源に電力を供給可能である、請求項４に記載の釣り用リールの電源装置。
【請求項６】
前記第１電源と第２電源との間に配置された昇圧手段をさらに備える、請求項５に記載の釣り用リールの電源装置。
【請求項７】
前記第１電源と第２電源との間に配置された逆流防止手段をさらに備える、請求項５又は６に記載の釣り用リールの電源装置。
【請求項８】
前記第２電源と前記電源制御手段との間に配置された蓄電手段をさらに備える、請求項５から７のいずれかに記載の釣り用リールの電源装置。
【発明の詳細な説明】
【０００１】
【発明の属する技術分野】
本発明は、電源装置、特に、釣り用リールに設けられた水深表示用の表示手段を含む動作手段とそれを制御するための制御手段とに電力を供給するための釣り用リールの電源装置に関する。
【０００２】
【従来の技術】
両軸受リールなどの釣り用リールにおいて、仕掛けの水深を表示するための、たとえば液晶ディスプレイからなる水深表示部を有するものが知られている。この種の水深表示部を有する釣り用リールには、たとえば、マイクロコンピュータからなる制御部が設けられており、制御部によりスプールからの釣り糸の繰り出し長さ又は巻取長さを測定し、その長さに応じて仕掛けの水深を表示している。
【０００３】
これらの水深表示部や制御部には、たとえばリール本体に装着された乾電池やボタン電池などの内部電源から電力が供給されており、電力の供給・遮断はリール本体に設けられた電源操作スイッチのオンオフにより行われている。この電源操作スイッチは、通常、内部電源からの電力を直接的に制御部や水深表示部に供給・遮断するのではなく、間接的に電力を供給・遮断している。
【０００４】
具体的には、内部電源からの電力は、スイッチングトランジスタを有する電源断続回路のオンオフにより供給・遮断されており、電源断続回路は、電源制御回路によりオンオフ制御される。電源制御回路は、電源操作スイッチの状態を監視し、電源操作スイッチがオンすると電源断続回路をオンして内部電源からの電力を水深表示部や制御部に供給し、オフすると電源断続回路をオフして内部電源からの電力の供給を遮断する。この電源制御回路にも、内部電源から電力が供給されている。
【０００５】
このように電源操作スイッチにより間接的に電力を供給・遮断すれば、スイッチの小型化を図れ、かつ節電のためのオートオフモードなどにも簡単に対応することができる。
【０００６】
【発明が解決しようとする課題】
前記従来の構成では、電源制御回路に内部電源から電力が供給されているため、電源操作スイッチをオフしても内部電源の電力が消費される。このため、長時間経過すると、電源操作スイッチをオンしていないにも関わらず内部電源が消耗してしまい、水深表示部や制御部を動作させることができなくなることがある。
【０００７】
本発明の課題は、電源操作スイッチをオフしているときのリール制御用電源の電力の消費を抑えることにある。
【０００８】
【課題を解決するための手段】
発明１に係る釣り用リールの電源装置は、カウンターケースが固定されたリール本体と、リール本体に回転自在に装着されたスプールと、スプールの回転を検出するスプールセンサと、を有する釣り用リールに設けられた水深表示用の表示手段を含む動作手段と動作手段を制御するための制御手段とに電力を供給するための装置であって、第１電源と、電源操作スイッチと、電源断続手段と、電源制御手段と、第２電源とを備えている。第１電源は、リール本体内に配置され、制御手段及び動作手段に電力を供給するための電源である。電源操作スイッチは、第１電源からの電力を供給・遮断操作するためにオン状態とオフ状態とに状態が変化するスイッチである。電源断続手段は、第１電源と制御手段及び動作手段との間に配置され、第１電源と制御手段及び動作手段とを電気的に接続・切断する手段である。電源制御手段は、電源操作スイッチの状態を監視して電源操作スイッチの状態に応じて電源断続手段を接続状態と切断状態とに制御する手段である。第２電源は、カウンターケース内に配置され、電源制御手段及びスプールセンサに電力を供給する電源である。電源制御手段は、電源操作スイッチがオン状態でかつ電源断続手段が接続状態のとき、釣り用リールが所定時間以上動作しないと電源断続手段を切断状態にし、電源操作スイッチがオン状態でかつ電源断続手段が切断状態のとき、釣り用リールのスプールが回転すると電源断続手段を接続状態にする。
【０００９】
この電源装置では、電源操作スイッチがオン状態に操作されると、電源操作スイッチを監視している電源制御手段がその状態を認識し、電源断続手段を接続状態にする。この結果、第１電源からの電力が制御手段及び動作手段に供給され、これらの手段が動作を開始する。また、電源操作スイッチがオフされると電源制御手段が電源断続手段を切断状態にし、制御手段及び動作手段への電力の供給が遮断される。この電源制御手段には、第２電源から電力が供給される。このため、電源操作スイッチがオフしているときには、第２電源の電力だけが消費され第１電源の電力は消費されない。したがって、電源操作スイッチがオフ状態の時には、リール制御用の第１電源が消耗せず、第１電源の電力の消費を抑えることができる。
【００１０】
また、釣り人が電源操作スイッチをオフにするのを忘れても、所定時間後に電源断続手段が切断状態になるので、第１電源の電力の消費をより抑えることができる。
【００１１】
さらに、電源操作スイッチがオン状態であれば、電源操作スイッチを操作しなくてもスプールが回転すると自動的に第１電源から制御部や表示部に電力が供給される。このため、釣りの途中で休憩したとき等に自動的に表示部や制御部に第１電源の電力が供給されなくなっても、釣りを行えば元の状態に簡単に復帰する。
【００１２】
発明２に係る釣り用リールの電源装置は、発明１に記載の装置において、第２電源は光により発電可能な太陽電池である。この場合には、電源制御手段に電力を供給する第２電源が太陽電池のため、第２電源から電源制御手段に電力を供給しても光が照射されている間は発電する。このため、電源制御手段が電源操作スイッチの監視を続けて第２電源が消耗しても、電源制御手段に対して長期間にわたる電力の供給が可能になる。
【００１３】
発明３に係る釣り用リールの電源装置は、発明１又は２に記載の装置において、第１電源は、充電不能な一次電池である。この場合には、第１電源として、たとえばリチウム電池、酸化銀電池、アルカリボタン電池等のボタン形電池を使用すれば、第１電源の小型化を図ることができる。また、高性能のアルカリ乾電池を使用すれば第１電源の長寿命化を図れ、マンガン乾電池を使用すれば第１電源の交換時のコストを低減できる。
【００１４】
発明４に係る釣り用リールの電源装置は、発明１又は２に記載の装置において、第１電源は、充電可能な二次電池である。この場合には、たとえば、ニッケル・カドミウム電池やリチウムイオン電池等の二次電池からなる第１電源を充電することで第１電源を繰り返して使用することができ、第１電源の維持費を低減できる。
【００１５】
発明５に係る釣り用リールの電源装置は、発明４に記載の装置において、第２電源は、第１電源に電力を供給可能である。この場合には、第１電源が消耗したときに第２電源から充電できるので、第１電源の長寿命化を図ることができる。
【００１６】
発明６に係る釣り用リールの電源装置は、発明５に記載の装置において、第１電源と第２電源との間に配置された昇圧手段をさらに備える。この場合には、昇圧手段により第２電源の電圧を高くすることができるので、第２電源の起電力を大きくすることなく第１電源を充電でき、第２電源のセル数を少なく抑えることができる。
【００１７】
発明７に係る釣り用リールの電源装置は、発明５又は６に記載の装置において、第１電源と第２電源との間に配置された逆流防止手段をさらに備える。この場合には、ダイオードなどを用いた逆流防止手段により第２電源から第１電源にのみ電流が流れ第１電源から第２電源へ電流が流れないようにすることで、第２電源から第１電源に充電を行う構成にしても、第１電源の消耗を抑えることができる。
【００１８】
発明８に係る釣り用リールの電源装置は、発明５から７のいずれかに記載の装置において、第２電源と電源制御手段との間に配置された蓄電手段をさらに備える。この場合には、第２電源に太陽電池を用いても、第２電源により発生された電力を蓄えることができるので、光の照射の有無に関わらず電源制御手段に電力を供給でき、電源操作スイッチの状態を常時監視できる。
【００１９】
【発明の実施の形態】
＜全体構成＞
図１及び図２において、本発明の一実施形態を採用した両軸受リールは、水深表示機能を有する手巻きのリールである。
【００２０】
両軸受リールは、釣り竿に装着されるリール本体１と、リール本体１の側方に配置されたスプール回転用のハンドル２と、ハンドル２のリール本体１側に配置されたドラグ調整用のスタードラグ３と、リール本体１に回転自在に装着されたスプール１０とを主に備えている。
【００２１】
リール本体１は、左右１対の側板７ａ，７ｂとそれらを連結する複数の連結部７ｃ（図３）とからなるフレーム７と、フレーム７の左右を覆う左右の側カバー８ａ，８ｂと、フレーム７の前部を覆う前カバー９とを有している。ハンドル２側（図２の右側）の側カバー８ｂには、ハンドル２の回転軸が回転自在に支持されている。
【００２２】
リール本体１の上部には、カウンターケース４が固定されている。カウンターケース４の内部は、外部に対して水密に封止されている。カウンターケース４には、仕掛けの水深や棚位置を水面からと底からとの２つの基準で表示するための液晶ディスプレイからなる表示部５と、表示部５の図２右側に配置された３つのスイッチ６ａ〜６ｃからなる操作キー部６とが設けられている。このうち、図２下側のスイッチ６ａは、電源をオンオフ操作するための電源操作スイッチである。
【００２３】
＜制御系の構成＞
カウンターケース４の内部には、図３に示すように、表示部５と、表示部５や操作キー部６に接続された制御部３０と、制御部３０や表示部５に電力を供給するための電源部３１とが配置されている。制御部３０は、ＣＰＵ，ＲＡＭ，ＲＯＭ，Ｉ／Ｏインターフェイス等を含むマイクロコンピュータを備えており、制御プログラムに従って表示制御等の各種の制御動作を実行する。
【００２４】
制御部３０には、図４に示すように、電源部３１と、表示部５と、スプール１０の回転を検出するためのスプールセンサ３２と、操作キー部６のスイッチ６ｂ，６ｃと、各種情報を記憶するＥＥＰＲＯＭ等の不揮発メモリからなる記憶部３３と、他の入出力部とが接続されている。制御部３０は、電源部３１から供給された電力により動作する。
【００２５】
＜電源部の構成＞
電源部３１は、制御部３０及び表示部５に電力を供給するための一次電池（第１電源の一例）２１と、太陽電池（第２電源の一例）３４と、昇圧回路３５と、逆流防止回路３６と、コンデンサ３７と、電源制御回路３８と、電源断続回路３９とを有している。
【００２６】
一次電池２１は、図３に示すように、リール本体１の前下部に着脱自在に装着されている。一次電池２１は、たとえばボタン型のリチウム電池であり、略３ボルトの起電力を有している。
【００２７】
太陽電池３４は、電源制御回路３８に電力を供給するための電源である。太陽電池３４は、表示部５の図２上側に近接して配置されている。このように表示部５の近傍に太陽電池３４が配置されているので、両者の防水処理が容易になるとともに、カウンターケース４全体をコンパクトに構成できる。また、カウンターケース４の上面に太陽電池３４が面しているので、釣りを行っているときに常に太陽光等の光が太陽電池３４に当たりやすくなり、安定した電力が得られる。太陽電池３４は、たとえばアモルファスシリコンを用いた５つのセル（モジュール）からなり、略２ボルト程度の起電力を有している。
【００２８】
昇圧回路３５は、太陽電池３４に接続されており、太陽電池３４で発生した起電力を３ボルト程度に昇圧するために設けられている。このような昇圧回路３５を設けると、太陽電池３４の起電力を小さくすることができ、太陽電池３４のセル数を少なくすることができる。
【００２９】
逆流防止回路３６は、コンデンサ３７と昇圧回路３５との間に配置されており、たとえば、ダイオードから構成されている。逆流防止回路３６は、コンデンサ３７から太陽電池３４側に電流が逆に流れるのを防止するために設けられている。
【００３０】
コンデンサ３７は、太陽電池３４で発生した電力を蓄えるために設けられたものである。コンデンサ３７には電源制御回路３８が接続されている。このようなコンデンサ３７を設けることで、太陽電池３４に光が当たらないような環境下でも、電源制御回路３８に電力が安定して供給される。
【００３１】
電源制御回路３８は、たとえばＣＰＵ，ＲＡＭ，ＲＯＭ，タイマ，Ｉ／Ｏインターフェイス等を含むマイクロコンピュータで構成され、太陽電池３４から電力が供給されて動作する。なお、電源制御回路３８を制御部３０のマイクロコンピュータの一部の機能を利用して構成してもよい。
【００３２】
電源制御回路３８は、電源操作スイッチとしてのスイッチ６ａの状態に応じて電源断続回路３９をオンオフ制御する回路である。電源制御回路３８には、スイッチ６ａと、他の２つのスイッチ６ｂ，６ｃと、スプールセンサ３２とが接続されている。また、電源制御回路３８は、制御部３０に接続されており、制御部３０と信号のやり取りを行う。電源制御回路３８は、スイッチ６ａの状態を常時監視し、スイッチ６ａがオン状態になると、電源断続回路３９を接続状態（オン状態）にして一次電池２１の電力を制御部３０及び表示部５に供給する。また、スプールセンサ３２の出力により所定時間リールの動作していないことを判断すると、スイッチ６ａがオン状態であっても、電源断続回路３９を切断状態（オフ状態）にし、表示部５及び制御部３０への電力の供給を遮断する。さらに、スイッチ６ａがオン状態で電源断続回路３９をオフしているとき、スプールセンサ３２からのスプール回転信号又は、スイッチ６ｂ，６ｃの操作入力により電源断続回路３９をオンし、表示部５及び制御部３０への電力の供給を再開する。
【００３３】
電源断続回路３９は、たとえばスイッチングトランジスタを有し、一次電源２１と制御部３０及び表示部５との間に配置されている。電源断続回路３９は、電源制御回路３８からの制御信号により接続状態と切断状態とに切り替わり、一次電池２１の電力を供給・遮断する。
【００３４】
このように、電源制御回路３８に一次電池２１の電力ではなく別の太陽電池３４の電力を供給することで、一次電池２１の電力の消費を抑え、一次電池２１の消耗を抑えることができる。また、リールが長時間止まっているときに、一次電池２１からの電力を遮断することにより、一次電池２１の消耗をさらに抑えることができる。
【００３５】
＜電池ケースの構成＞
前カバー９には、図３，図５及び図６に示すように、上部に左右に長い開口２０が設けられ、下部に一次電池２１を収納する電池ケース２２が設けられている。電池ケース２２は後述するレベルワインド機構１３の下前方に設けられ、前カバー９の下部に形成された収納部２３と、収納部２３を前方から開閉可能に覆う蓋部２４とを有している。収納部２３は、前カバー９に正面視円形の凹んだ空間を形成するように設けられている。収納部２３の底部と壁面とには一次電池２１の正負の電極と接続するための金具がそれぞれ配置されている。収納部２３の開口部の周囲には、蓋部２４とで形成された閉空間を水密に封止するためのパッキン２５が装着されている。蓋部２４は、たとえば前面からねじ込まれた２本のネジ２６により収納部２３に開閉自在に装着されている。前カバー９の収納部２３の周囲には、このネジ２６に螺合するナット２７が成形時に一体で埋め込まれている。この２本のネジ２６は工具で回せるようにしてもよいし、硬貨等で回せるようにしてもよい。
【００３６】
＜他の構成＞
リール本体１のフレーム７内には、ハンドル２に連結されたスプール１０が回転自在に支持されている。スプール１０の内部には、図３に示すように、スプール軸１２が貫通している。また、リール本体１の後部（図１下部）には、ハンドル２とスプール１０との駆動伝達をオンオフするクラッチレバー１１が配置されている。このクラッチをオンすると、自重による仕掛けの糸繰り出し中に、糸繰り出し動作を停止できる。
【００３７】
また、リール本体１の内部には、図３に示すように、スプール１０に連動して動作するレベルワインド機構１３やハンドル２の回転をスプール１０に伝達する伝達機構（図示せず）等が設けられている。
【００３８】
レベルワインド機構１３は、スプール１０の前方（図３右方）にスプール１０と平行に配置された螺軸１４と、螺軸１４に係合する釣り糸ガイド１５と、釣り糸ガイド１５を案内するガイド筒１６とを有している。螺軸１４は、表面に交差する螺旋状の溝（図示せず）を有している。螺軸１４は、側カバー８ａ内に配置された歯車機構（図示せず）によりスプール軸１２と連結されている。釣り糸ガイド１５は、ガイド本体１５ａと、ガイド本体１５ａの下部に螺軸１４と直交する方向に配置され上端が螺旋状溝に係合する係合部材１５ｂと、ガイド本体１５ａの上部に前後に配置され釣り糸を案内するセラミック製の硬質リング１５ｃとを有している。ガイド本体１５ａの中央部には螺軸１４が貫通し、かつその周囲にはガイド筒１６が貫通している。ガイド筒１６は、下部がＵ字状に開口した筒状部材であり、側板７ａ，７ｂ間に螺軸１４を中心で囲むように配置されている。このレベルワインド機構１３の前下方のあいた空間に、前述したように電池ケース２２が設けられている。
【００３９】
＜電源制御回路の制御動作＞
このように構成された両軸受リールでは、太陽電池３４が発電すると、その起電力が昇圧回路３５で３ボルト程度に昇圧され、逆流防止回路３６を介してコンデンサ３７に蓄えられる。コンデンサ３７に蓄えられた電力は、電源制御回路３８に供給される。電源制御回路３８に電力が供給されると、電源制御回路３８が電源制御動作を行う。
【００４０】
電源制御動作の概略を以下に説明する。
【００４１】
電源制御回路３８では、電源操作スイッチであるスイッチ６ａが操作されると、電源断続回路３９をオンオフ制御して一次電池２１からの電力を制御部３０及び表示部５に供給・遮断する。また、電力が供給された状態で所定時間以上リールが動作しないと制御部３０及び表示部５への電力の供給を一時的に止めるスリープモードに入り、電源断続回路３０をオフ制御して電力の供給を遮断する。このとき、スイッチ６ａはオン状態を維持されるとともに、制御部３０では、制御状態が不揮発メモリからなる記憶部３３に記憶される。これによりスリープモードが解除されたときに以前の制御状態に戻すことができる。スリープモードのとき（スイッチ６ａがオン状態で電力が遮断された状態）、スプール１０が回転を開始したり、他のスイッチ６ｂ，６ｃが操作されると、スリープモードが解除され、電力の供給が再開される。
【００４２】
次に、図７を参照して具体的な制御動作を説明する。
【００４３】
太陽電池３４からコンデンサ３７を介して電力が供給されると、図７のステップＳ２で初期設定を行う。この初期設定では、各種フラグや各種の制御変数がリセットされる。ステップＳ４では、スプールセンサ３２の出力によりスプール１０が回転を開始したか否かを判断する。この判断は、スリープモードを解除する否かを判断するために使用される。ステップＳ６では、タイマＴ１がオンしているか否かを判断する。このタイマＴ１は、リールの動作（具体的にはスプール１０の回転）が所定時間以上なされなかったか否かを判断するためのタイマであり、スリープモードに入るか否かを判断するために使用される。ステップＳ８では、スイッチ６ａが押されたか否かを判断する。このスイッチ６ａは、前述したように電源操作スイッチであり、これがオン状態になると、通常、一次電池２１の電力が制御部３０及び表示部５に供給される。ステップＳ１０では、他のスイッチ６ｂ，６ｃのいずれかが押されたか否かを判断する。この判断もスリープモードを解除するか否かを判断するために使用される。ステップＳ１２では、タイマＴ１が所定時間ＴＳを超えたか否かを判断する。この判断は、スリープモードに入るか否かを判断するために使用される。
【００４４】
スプール１０が回転を開始したと判断すると、ステップＳ４からステップＳ１４に移行する。ステップＳ１４では、スイッチ６ａがオン状態か否かを示すフラグＳＷが「１」（オン状態）にセットされているか否かを判断する。フラグＳＷが「１」にセットされている場合にはステップＳ１６に移行し、電源断続回路３９がオン状態であるか否かを示すフラグＰＷが「０」（オフ状態）にリセットされているか否かを判断する。これらの二つの判断によりスリープモードに入っているか否かが分かる。スリープモードに入っている場合（ＳＷ＝１，ＰＷ＝０の場合）には、ステップＳ１８に移行し、フラグＰＷを「１」にセットする。これにより、電源断続回路３９がオン制御され、一次電池２１の電力の供給が再開される。
【００４５】
スイッチ６ａが押されたと判断すると、ステップＳ８からステップＳ２２に移行する。ステップＳ２２では、フラグＳＷが「１」にセットされているか否かを判断する。つまり、スイッチ６ａがオン状態（ＳＷ＝１）か否かを判断する。スイッチ６ａがオフ状態のとき（ＳＷ＝０のとき）には、ステップＳ２４に移行し、フラグＳＷを「１」にセットしてスイッチ６ａをオン状態にする。ステップＳ２６では、フラグＰＷを「１」にセットする。これにより電源制御回路３８は電源断続回路３９をオン状態に制御し、一次電池２１からの電力が表示部５及び制御部３０に供給される。
【００４６】
スイッチ６ａがオン状態のとき（ＳＷ＝１のとき）には、ステップＳ２２からステップＳ２８に移行し、フラグＳＷを「０」にリセットしてスイッチ６ａをオフ状態にする。ステップＳ３０では、フラグＰＷを「０」にリセットする。これにより電源制御回路３８は電源断続回路３９をオフ制御し、一次電池２１からの電力が遮断される。
【００４７】
他のスイッチ６ｂ，６ｃが押されると、ステップＳ１０からステップＳ３２に移行する。このステップＳ３２〜ステップＳ３６では、ステップＳ１４〜ステップＳ１８と同様な処理でスリープモードの解除処理が実行される。すなわち、ステップＳ３２では、フラグＳＷが「１」にセットされているか否かを判断し、ステップＳ３４では、フラグＰＷが「０」にリセットされているか否かを判断する。ステップＳ３６では、スリープモードを解除するためにフラグＰＷを「１」にセットする。
【００４８】
タイマＴ１が所定時間ＴＳを超えると、ステップＳ１２からステップＳ３８に移行する。タイマＴ１が所定時間ＴＳ（たとえば１時間）を超えるとスリープモードに入るための判断を行う。ステップＳ３８では、タイマＴ１をオフした後フラグＳＷが「１」にセットされているか否か、つまりスイッチ６ａがすでにオン状態であるか否かを判断する。スイッチ６ａがオフ状態であれば、まだ電源が投入されていないのでスリープモードに入る必要はない。スイッチ６ａがオン状態のときにはステップＳ４０に移行する。ステップＳ４０では、フラグＰＷが「１」にセットされているか否かを判断する。つまり、電源が投入されているか否かを判断する。スイッチ６ａがオン状態で電源が投入されていない場合（ＳＷ＝１，ＰＷ＝０の場合）には、すでにスリープモードに入っていると判断されるので、スリープモードに入る必要はない。電源が投入されている場合にはステップＳ４２に移行し、フラグＰＷを「０」にリセットする。これにより電源断続回路３９がオフ制御され電源が遮断され、スリープモードに入る。このとき、電源制御回路３８から制御部３０にその旨の信号が出力され、制御部３０ではそのときの制御状態を記憶部３３に記憶し、その完了を示す信号を電源制御回路３８に出力する。電源制御回路３８ではその信号を待って電源断続回路３９をオフ制御する。
【００４９】
＜リールの一般動作＞
釣りを行う場合には、スイッチ６ａを押して電源を投入する。この制御の詳細は前述の通りである。続いてクラッチレバー１１によりクラッチをオフし、スプール１０を自由に回転させ、釣り糸に装着された重りの自重により釣り糸を繰り出す。釣り糸が繰り出されると表示部５の水深表示が繰り出し量に応じて増加する。また、釣り糸が繰り出されると、スプール１０の回転が歯車機構を介して螺軸１４に伝達され、螺軸１４が回転して釣り糸ガイド１５がスプール１０に沿って往復動する。仕掛けが棚に到達すると、クラッチレバー１１によりクラッチをオンして釣り糸の繰り出しを停止する。
【００５０】
魚の当たりがあると、ハンドル２を操作して釣り糸を巻き上げる。釣り糸が巻上げられると表示部５の水深表示が巻き上げ量に応じて減少する。この巻き上げ時にも、スプール１０の回転が歯車機構を介して螺軸１４に伝達され、螺軸１４が回転して釣り糸ガイド１５がスプール１０に沿って往復動する。この結果、釣り糸がスプールにほぼ均一に巻き取られる。
【００５１】
一方、一次電池２１が消耗すると、その旨が表示部５に表示される。釣り人は、一次電池２１が消耗したことを知ると、２本のネジ２６を回して蓋部２４を外す。そして古い一次電池２１を取り出し新しい一次電池２１に代える。なお、制御部３０には、バックアップ用のコンデンサが装着されており、この電池交換時に電源が供給されなくても、適宜の間表示や記憶された各種のデータが消えることはない。なお、バックアップ用のコンデンサに代えてコンデンサ３７から電力を供給するようにしてもよい。
【００５２】
ここでは、電源制御回路３８の電源（太陽電池３４）を制御部３０の電源（一次電池２１）と別に設けたので、一次電池２１が電源遮断時に消耗せず、一次電池２１の電力の消費を抑えることができる。しかも、電源制御回路３８側の電源は、太陽電池３４のため、長期間にわたり電力を供給できる。また、コンデンサ３７を間に配置しているので、光の照射の有無に関わらず電力を電源制御回路３８に供給できる。
【００５３】
〔他の実施形態〕
（ａ）  一次電池２１に代えて、図８に示すように、充電可能な二次電池２８を制御部３０及び表示部５の電源として用いてもよい。この場合、逆流防止回路３６を二次電池２８にも接続し、太陽電池３４の起電力により二次電池２８を充電する構成としてもよい。この二次電池２１に用いる電池としては、ニッケル・カドミウム電池、リチウムイオン電池等の小型軽量の二次電池が好ましい。また、二次電池に代えてコンデンサを用いてもよい。
【００５４】
（ｂ）  一次電池２１はボタン電池に限定されるものではなく、単三形等のマンガン乾電池やアルカリ乾電池でもよい。
【００５５】
（ｃ）  電源制御回路３８の電源として太陽電池３４に代えて、通常の一次電池や二次電池を用いてもよい。
【００５６】
（ｄ）  本実施形態では、本発明による電源装置を手巻きの両軸受リールに装着したが、表示部や制御部駆動用の内部電源を有する電動リールにおいて、内部電源としてこの電源装置を用いることもできる。
【００５７】
【発明の効果】
本発明によれば、電源操作スイッチがオフしているときには、第２電源の電力だけが消費され第１電源の電力は消費されない。したがって、電源操作スイッチがオフ状態の時には、第１電源が消耗せず、第１電源の電力の消費を抑えることができる。
【図面の簡単な説明】
【図１】  本発明の一実施形態による両軸受リールの斜視図。
【図２】  その平面図。
【図３】  その縦断面図。
【図４】  制御系の構成を示すブロック図。
【図５】  両軸受リールの正面図。
【図６】  図５のIV−IV断面図。
【図７】  電源制御動作を示すフローチャート。
【図８】  他の実施形態の図４に相当する図。
【符号の説明】
１  リール本体
４  カウンターケース
５  表示部
６  操作キー部
６ａ，６ｂ，６ｃ  スイッチ
１０  スプール
２１  一次電池
２８  二次電池
３１  電源部
３２  スプールセンサ
３４  太陽電池
３５  昇圧回路
３６  逆流防止回路
３７  コンデンサ
３８  電源制御回路
３９  電源断続回路
【図１】
0004324263.tif 000002
【図２】
0004324263.tif 000003
【図３】
0004324263.tif 000004
【図４】
0004324263.tif 000005
【図５】
0004324263.tif 000006
【図６】
0004324263.tif 000007
【図７】
0004324263.tif 000008
【図８】
0004324263.tif 000009